(57)【特許請求の範囲】
【請求項１】
上り信号又は上り信号調整用のテスト信号を増幅する上り信号増幅手段と、
上り信号出力端子と、
前記上り信号増幅手段と前記上り信号出力端子との間の伝送ライン上に設けられ、前記上り信号増幅手段と前記上り信号出力端子とが電気的に接続されている第１の状態および前記上り信号増幅手段と前記上り信号出力端子とが電気的に接続されていない第２の状態を切り換えるスイッチ手段と、
前記上り信号増幅手段と前記スイッチ手段との間に設けられる分岐手段と、
前記分岐手段の分岐出力が供給される上り信号出力モニター端子と、
前記分岐手段と前記スイッチ手段との間の伝送ライン上に設けられる第１のダイオードと、
カソードが前記第１のダイオードのカソードと共通接続される第２のダイオードと、
前記第２のダイオードのアノードに接続される終端器とを備え、
前記スイッチ手段が前記第１の状態を選択しているときには、前記第１のダイオードのアノード電圧が前記第２のダイオードのアノード電圧より大きくなることで前記第１のダイオードがオン状態、前記第２のダイオードがオフ状態になり、
前記スイッチ手段が前記第２の状態を選択しているときには、前記第１のダイオードのアノード電圧が前記第２のダイオードのアノード電圧より小さくなることで前記第１のダイオードがオフ状態、前記第２のダイオードがオン状態になることを特徴とするブースター。
【請求項２】
前記スイッチ手段が前記第２の状態を選択しているときに、その旨を報知する報知手段を備えることを特徴とする請求項１に記載のブースター。
【請求項３】
前記報知手段が、発光手段と、前記発光手段を駆動する駆動手段とを備え、前記スイッチ手段が前記第２の状態を選択しているときに、その旨を前記発光手段の点滅によって報知することを特徴とする請求項２に記載のブースター。
【発明の詳細な説明】
【技術分野】
【０００１】
本発明は、ブースターに関し、特に、上り信号を増幅する上り信号増幅手段を備えるブースターに関する。
【背景技術】
【０００２】
センター局及び複数の加入者端末装置を備え、下り信号および上り信号の伝送機能を有する双方向伝送システムでは、通常、双方向ブースターが設けられる。ここで、加入者側の集合住宅などに設置される双方向ブースターの従来構成例を図４に示す。
【０００３】
図４に示す従来の双方向ブースターは、１０〜６０ＭＨｚの周波数帯域の上り信号を増幅することができ、７０〜７７０ＭＨｚの周波数帯域の下り信号を増幅することができるブースターである。
【０００４】
図４示す従来の双方向ブースターは、下り信号入力兼上り信号出力端子Ｔ１と、７７０ＭＨｚ以下の周波数帯域を通過させる７７０ＭＨｚＬＰＦ（Low Pass Filter）１と、７０ＭＨｚ以上の周波数帯域を通過させる７０ＭＨｚＨＰＦ（High Pass Filter）２と、分岐器３と、利得減衰および周波数特性変更を行うアッテネータ・イコライザー部４と、分岐器５と、下り信号を増幅する下り信号アンプ６と、ゲインコントロール回路７と、下り信号アンプ８と、チルト特性を調整するチルト回路９と、下り信号アンプ１０と、７０ＭＨｚＨＰＦ１１と、７７０ＭＨｚＬＰＦ１２と、分岐器１３と、下り信号出力兼上り信号入力端子Ｔ２と、下り信号出力モニター兼上り信号調整用入力端子Ｔ３とを備える。
【０００５】
図４示す従来の双方向ブースターは、さらに、６０ＭＨｚ以下の周波数帯域を通過させる６０ＭＨｚＬＰＦ１４と、１０ＭＨｚ以上の周波数帯域を通過させる１０ＭＨｚＨＰＦ１５と、分岐器１６と、上り信号を増幅する上り信号アンプ１７と、チルト回路１８と、ゲインコントロール回路１９と、上り信号アンプ２０と、利得減衰を行うアッテネータ２１と、分岐器２２と、１０ＭＨｚＨＰＦ２３と、６０ＭＨｚＬＰＦ２４と、上り信号出力モニター端子Ｔ４とを備える。
【０００６】
また、図４に示す従来の双方向ブースターは、下り信号入力モニター端子Ｔ５、内部モニター端子Ｔ６、および上り信号入力モニター端子Ｔ７も備える。
【０００７】
センター局から伝送されてくる下り信号は、下り信号入力兼上り信号出力端子Ｔ１に入力され、７７０ＭＨｚＬＰＦ１および７０ＭＨｚＨＰＦ２を通過し、分岐器３を経由し、アッテネータ・イコライザー部４によって利得減衰および周波数特性変更され、分岐器５を経由し、下り信号アンプ６によって増幅され、ゲインコントロール回路７によって利得調整され、下り信号アンプ８によって増幅され、チルト回路９によってチルト特性が調整され、下り信号アンプ１０によって増幅され、７０ＭＨｚＨＰＦ１１および７７０ＭＨｚＬＰＦ１２を通過し、分岐器１３を経由して、下り信号出力兼上り信号入力端子Ｔ２から出力される。そして、分岐器３の分岐出力が下り信号入力モニター端子Ｔ５に供給され、分岐器５の分岐出力が内部モニター端子Ｔ６に供給され、分岐器１３の分岐出力が下り信号出力モニター兼上り信号調整用入力端子Ｔ３に供給される。
【０００８】
一方、加入者端末装置から伝送されてくる上り信号は、下り信号出力兼上り信号入力端子Ｔ２に入力され、分岐器１３を経由して、７７０ＭＨｚＬＰＦ１２と６０ＭＨｚＬＰＦ１４と１０ＭＨｚＨＰＦ１５とを通過し、分岐器１６を経由し、上り信号アンプ１７によって増幅され、チルト回路１８によってチルト特性が調整され、ゲインコントロール回路１９によって利得調整され、上り信号アンプ２０によって増幅され、アッテネータ２１によって利得減衰され、分岐器２２を経由し、１０ＭＨｚＨＰＦ２３と６０ＭＨｚＬＰＦ２４と７７０ＭＨｚＬＰＦ１とを通過し、下り信号入力兼上り信号出力端子Ｔ１から出力される。そして、分岐器１６の分岐出力が上り信号入力モニター端子Ｔ７に供給され、分岐器２２の分岐出力が上り信号出力モニター端子Ｔ４に供給される。
【先行技術文献】
【特許文献】
【０００９】
【特許文献１】特開２００３−１１１０４３号公報（段落０００３）
【発明の概要】
【発明が解決しようとする課題】
【００１０】
図４に示す従来の双方向ブースターには、アッテネータ・イコライザー部４の機能をオン／オフするためのスイッチ、ゲインコントロール回路７の利得調整量を定めるためのボリューム、およびチルト回路９の機能をオン／オフするためのスイッチが設けられており、これらを用いて下り信号の調整が実施される。なお、アッテネータ・イコライザー部４は機能がオフであればスルー回路となる。同様に、チルト回路９は機能がオフであればスルー回路となる。
【００１１】
図４に示す従来の双方向ブースターには、チルト回路１８の機能をオン／オフするためのスイッチ、ゲインコントロール回路１９の利得調整量を定めるためのボリューム、およびアッテネータ２１の機能をオン／オフするためのスイッチが設けられており、これらを用いて上り信号の調整が実施される。なお、チルト回路１８は機能がオフであればスルー回路となる。同様に、アッテネータ２１は機能がオフであればスルー回路となる。
【００１２】
上り信号の調整では、下り信号入力兼上り信号出力端子Ｔ１と下り信号出力兼上り信号入力端子Ｔ２それぞれに同軸ケーブルが接続された状態で、下り信号出力モニター兼上り信号調整用入力端子Ｔ３に上り信号調整用のテスト信号（上り帯域１０〜６０ＭＨｚの信号）を入力し、上り信号出力モニター端子Ｔ４から出力される信号（上り信号出力モニター信号）を計測して流合雑音が測定される。この上り信号調整時に、増幅されたテスト信号が下り信号入力兼上り信号出力端子Ｔ１から出力され、下り信号入力兼上り信号出力端子Ｔ１からセンター局に流合雑音が流出してセンター局に影響を与えてしまっていた。
【００１３】
なお、上記の問題は、双方向ブースターに限らず、上り信号を増幅する上り信号増幅手段は備えているが下り信号を増幅する下り信号増幅手段は備えていないブースターにも起こり得る。
【００１４】
また、特許文献１で開示されているブースターは、上り信号を増幅する上り信号増幅手段に各端末からの上り信号を供給する複数の端子（複数の上り信号入力端子）を備えており、上り信号出力モニター端子を備えていない構成の双方向ブースターである。当該双方向ブースターに様々なラインから供給される上り信号をオン・オフするゲートスイッチを順にオン・オフして、流合雑音に大きな影響を与える雑音がどのラインで発生するかをセンター局で調査している。そのため、当該調査時において、流合雑音に大きな影響を与える雑音が発生しているラインのゲートスイッチがオンである期間はセンター局に影響を与えてしまっていた。
【００１５】
本発明は、上記の状況に鑑み、センター局に影響を与えることなく上り信号の調整を行うことができるブースターを提供することを目的とする。
【課題を解決するための手段】
【００１６】
上記目的を達成するために本発明に係るブースターは、上り信号又は上り信号調整用のテスト信号を増幅する上り信号増幅手段と、上り信号出力端子と、前記上り信号増幅手段と前記上り信号出力端子との間の伝送ライン上に設けられ、前記上り信号増幅手段と前記上り信号出力端子とが電気的に接続されている第１の状態および前記上り信号増幅手段と前記上り信号出力端子とが電気的に接続されていない第２の状態を切り換えるスイッチ手段と、前記上り信号増幅手段と前記スイッチ手段との間に設けられる分岐手段と、前記分岐手段の分岐出力が供給される上り信号出力モニター端子とを備える構成とする。
【００１７】
上記構成のブースターにおいて、上り信号調整時には前記スイッチ手段が前記第２の状態を選択し、上り信号調整後の通常使用時には前記スイッチ手段が前記第１の状態を選択するようにする。これにより、上り信号調整時には、前記上り信号増幅手段によって増幅されたテスト信号の伝送が前記スイッチ手段でカットされるので、増幅されたテスト信号が前記上り信号出力端子から出力されなくなり、前記上り信号出力端子からセンター局に流合雑音が流出しない。したがって、センター局に影響が及ばない。また、これにより、上り信号調整時後の通常使用時には、前記上り信号増幅手段によって増幅された上り信号が、前記スイッチ手段を経由して、前記上り信号出力端子から問題なく出力され、従来と同様に前記上り信号出力端子からセンター局に伝送される。
【００１８】
なお、上り信号調整時には、前記スイッチ手段が前記第２の状態を選択していても、前記上り信号増幅手段によって増幅されたテスト信号が前記上り信号出力モニター端子から出力されるため、従来と同様に前記上り信号出力モニター端子から出力される信号（上り信号出力モニター信号）を計測して流合雑音を測定することが可能である。
【００１９】
また、上り信号調整から通常使用に切り換える際に、前記スイッチ手段の選択先の切り換え忘れ（前記第２の状態から前記第１の状態への切り換え忘れ）を低減する観点から、前記スイッチ手段が前記第２の状態を選択しているときに、その旨を報知する報知手段を備えることが好ましい。
【００２０】
さらに、前記報知手段による報知と、一般的に発光ダイオードなどの点灯によりパイロット状態であることを表示するパイロット表示との区別を容易にする観点から、前記報知手段が、発光手段と、前記発光手段を駆動する駆動手段とを備え、前記スイッチ手段が前記第２の状態を選択しているときに、その旨を前記発光手段の点滅によって報知することがより好ましい。
【００２１】
また、前記分岐手段と前記スイッチ手段との間の伝送ライン上に設けられる第１のダイオードと、カソードが前記第１のダイオードのカソードと共通接続される第２のダイオードと、前記第２のダイオードのアノードに接続される終端器とを備え、前記スイッチ手段が前記第１の状態を選択しているときには、前記第１のダイオードのアノード電圧が前記第２のダイオードのアノード電圧より大きくなることで前記第１のダイオードがオン状態、前記第２のダイオードがオフ状態になり、前記スイッチ手段が前記第２の状態を選択しているときには、前記第１のダイオードのアノード電圧が前記第２のダイオードのアノード電圧より小さくなることで前記第１のダイオードがオフ状態、前記第２のダイオードがオン状態になるようにしてもよい。これにより、前記スイッチ手段が前記第２の状態を選択しているときには、前記分岐手段側の伝送ラインが前記終端器によって終端される。また、前記スイッチ手段が前記第２の状態を選択しているときには、前記上り信号出力端子側の伝送ラインが前記終端器とは別の終端器によって終端されるようにする。このような終端器の設置により、前記スイッチ手段が前記第２の状態を選択しているときでも、ＶＳＷＲ（Voltage Standing Wave Ratio：電圧定在波比）を良好に保つことができる。
【発明の効果】
【００２２】
本発明によると、センター局に影響を与えることなく上り信号の調整を行うことができるブースターを実現することができる。
【図面の簡単な説明】
【００２３】
【図１】本発明の一実施形態に係る双方向ブースターの構成を示す図である。
【図２】カットスイッチ部の一構成例を示す図である。
【図３】本発明の他の実施形態に係るブースターの構成を示す図である。
【図４】双方向ブースターの従来構成例を示す図である。
【発明を実施するための形態】
【００２４】
本発明の実施形態について図面を参照して以下に説明する。本発明の一実施形態に係る双方向ブースターの構成を図１に示す。なお、図１において図４と同一の部分には同一の符号を付し詳細な説明を省略する。
【００２５】
図１に示す本発明の一実施形態に係る双方向ブースターは、図４に示す従来の双方向ブースターにカットスイッチ部２５を追加した構成である。カットスイッチ部２５は、分岐器２２と１０ＭＨｚＨＰＦ２３との間に設けられる。
【００２６】
次に、カットスイッチ部２５の一構成例を図２に示す。図２に示す構成例のカットスイッチ部２５は、双極双投スイッチＳＷ１と、コンデンサＣ１〜Ｃ７と、ダイオードＤ１およびＤ２と、発光ダイオードＤ３と、コイルＭ１〜Ｍ３と、ＮＰＮトランジスタＱ１〜Ｑ３と、抵抗Ｒ１〜Ｒ１４とを備える。双極双投スイッチＳＷ１には、例えば、手動によりスライドして二つの接続先を択一的に選択するスライドスイッチを用いることができる。
【００２７】
双極双投スイッチＳＷ１の一方の極は、コイルＭ１の一端と直流阻止用のコンデンサＣ７の一端とに接続される。コンデンサＣ７の他端は１０ＭＨｚＨＰＦ２３（図１参照）に接続される。双極双投スイッチＳＷ１の他方の極は、ダイオードＤ１のアノードおよびコイルＭ２の一端に接続される。
【００２８】
コイルＭ２の他端は抵抗Ｒ１の一端に接続され、抵抗Ｒ１の他端は双極双投スイッチＳＷ１の接点ａ１および接点ａ２に接続される。双極双投スイッチＳＷ１の接点ａ１と接点ａ２とは短絡している。
【００２９】
ダイオードＤ１のカソードとダイオードＤ２のカソードは共通接続され、抵抗Ｒ１４の一端と直流阻止用のコンデンサＣ６の一端とに接続される。抵抗Ｒ１４の他端はグランド電位に接続される。コンデンサＣ６の他端は分岐器２２（図１参照）に接続される。ダイオードＤ２のアノードは抵抗Ｒ２を介してＮＰＮトランジスタＱ１のエミッタおよびコンデンサＣ１の一端に接続される。コンデンサＣ１の他端はグランド電位に接続される。
【００３０】
また、コイルＭ１の他端、抵抗Ｒ３の一端、およびＮＰＮトランジスタＱ１のコレクタに所定値（例えば２４Ｖ）の直流電圧ＶＤＣが印加される。抵抗Ｒ３の他端はＮＰＮトランジスタＱ１のベースおよび抵抗Ｒ４の一端に接続される。抵抗Ｒ４の他端はグランド電位に接続される。
【００３１】
双極双投スイッチＳＷ１の接点ｂ１はオープンになっている。一方、双極双投スイッチＳＷ１の接点ｂ２はコンデンサＣ２の一端およびコイルＭ３の一端に接続される。コンデンサＣ２の他端は抵抗Ｒ５の一端に接続され、抵抗Ｒ５の他端はグランド電位に接続される。
【００３２】
コイルＭ３の他端はコンデンサＣ３の一端および抵抗Ｒ６の一端に接続される。抵抗Ｒ６の他端は抵抗Ｒ７の一端、抵抗Ｒ８〜Ｒ１０の一端、および発光ダイオードＤ３のアノードに接続される。コンデンサＣ３の他端および抵抗Ｒ７の他端はグランド電位に接続される。
【００３３】
抵抗Ｒ８の他端はＮＰＮトランジスタＱ２のコレクタおよびコンデンサＣ４の一端に接続される。また、発光ダイオードＤ３のカソードは抵抗Ｒ１１を介してＮＰＮトランジスタＱ３のコレクタおよびコンデンサＣ５の一端に接続される。
【００３４】
抵抗Ｒ９の他端は抵抗Ｒ１２を介してコンデンサＣ４の他端およびＮＰＮトランジスタＱ３のベースに接続される。また、抵抗Ｒ１０の他端は抵抗Ｒ１３を介してコンデンサＣ５の他端およびＮＰＮトランジスタＱ２のベースに接続される。ＮＰＮトランジスタＱ２のエミッタおよびＮＰＮトランジスタＱ３のエミッタはグランド電位に接続される。
【００３５】
発光ダイオード点滅回路２６は、発光ダイオードＤ３と、コンデンサＣ３〜Ｃ５と、抵抗Ｒ６〜Ｒ１３と、ＮＰＮトランジスタＱ２およびＱ３とによって構成される無安定マルチバイブレーターである。発光ダイオード点滅回路２６は、抵抗Ｒ６とコンデンサＣ３との接続点に所定値の直流電圧ＶＤＣが印加されると、動作状態になり、ＮＰＮトランジスタＱ２とＮＰＮトランジスタＱ３とが交互にオンとオフを繰り返し、ＮＰＮトランジスタＱ３のオン時に発光ダイオードＤ３が点灯し、ＮＰＮトランジスタＱ３のオフ時に発光ダイオードＤ３が消灯する。
【００３６】
上記のような構成（図２に示す構成例）のカットスイッチ部２５は、以下のように動作する。
【００３７】
所定値の直流電圧ＶＤＣの抵抗Ｒ３およびＲ４による分圧が常時ＮＰＮトランジスタＱ１のベースに供給され、ＮＰＮトランジスタＱ１は常時オン状態になっており、所定値の直流電圧ＶＤＣからＮＰＮトランジスタＱ１のコレクタ−エミッタ間電圧だけ降圧した直流電圧がダイオードＤ２のアノードに常時供給される。
【００３８】
双極双投スイッチＳＷ１が接点ａ１およびａ２側を選択している場合、コイルＭ１の他端に印加されている所定値の直流電圧ＶＤＣが双極双投スイッチＳＷ１の一方の極、双極双投スイッチＳＷ１の接点ａ２、抵抗Ｒ１、およびコイルＭ２を経由してダイオードＤ１のアノードに供給され、ダイオードＤ１がオン状態になる。そして、分岐器２２（図１参照）から伝送されてくる高周波信号は、コンデンサＣ６、オン状態であるダイオードＤ１、双極双投スイッチＳＷ１の他方の極、双極双投スイッチＳＷ１の接点ａ１、接点ａ１と接点ａ２とを繋ぐ短絡ライン、双極双投スイッチＳＷ１の接点ａ２、双極双投スイッチＳＷ１の一方の極、およびコンデンサＣ７を経由して、１０ＭＨｚＨＰＦ２３（図１参照）に伝送される。
【００３９】
また、双極双投スイッチＳＷ１が接点ａ１およびａ２側を選択している場合、ダイオードＤ１のカソード電圧とダイオードＤ２のカソード電圧が同一であり、上記の通りダイオードＤ１がオン状態であり、ダイオードＤ２のアノード電圧がダイオードＤ１のアノード電圧よりもＮＰＮトランジスタＱ１のコレクタ−エミッタ間電圧だけ小さいため、ダイオードＤ２はオフ状態になる。
【００４０】
また、双極双投スイッチＳＷ１が接点ａ１およびａ２側を選択している場合、双極双投スイッチＳＷ１の接点ｂ２に所定値の直流電圧ＶＤＣが供給されないので、発光ダイオード点滅回路２６に所定値の直流電圧ＶＤＣが供給されず、発光ダイオード点滅回路２６が動作しない。したがって、発光ダイオードＤ３は消灯状態になる。
【００４１】
これに対して、双極双投スイッチＳＷ１が接点ｂ１およびｂ２側を選択している場合、ダイオードＤ１のアノードに所定値の直流電圧ＶＤＣが供給されないので、ダイオードＤ１がオフ状態になる。また、双極双投スイッチＳＷ１の一方の極と他方の極とが電気的に遮断されている。したがって、分岐器２２（図１参照）から伝送されてくる高周波信号は、１０ＭＨｚＨＰＦ２３（図１参照）に伝送されない。
【００４２】
また、双極双投スイッチＳＷ１が接点ｂ１およびｂ２側を選択している場合、ダイオードＤ１のカソード電圧とダイオードＤ２のカソード電圧が同一であるが、上記の通りダイオードＤ１がオフ状態であり、所定値の直流電圧ＶＤＣからＮＰＮトランジスタＱ１のコレクタ−エミッタ間電圧だけ降圧した直流電圧がダイオードＤ２のアノードに供給されているため、ダイオードＤ２はオン状態になる。これにより、分岐器２２（図１参照）に繋がっている伝送ラインは、コンデンサＣ１と、ＮＰＮトランジスタＱ１と、抵抗Ｒ２〜Ｒ４とによって７５Ω終端される。
【００４３】
また、双極双投スイッチＳＷ１が接点ｂ１およびｂ２側を選択している場合、双極双投スイッチＳＷ１の一方の極と接点ｂ２とが接続される。これにより、１０ＭＨｚＨＰＦ２３（図１参照）に繋がっている伝送ラインは、コンデンサＣ２と抵抗Ｒ５とによって７５Ω終端される。また、これにより、コイルＭ１の他端に印加されている所定値の直流電圧ＶＤＣが双極双投スイッチＳＷ１の一方の極、双極双投スイッチＳＷ１の接点ｂ２、およびコイルＭ３を経由して発光ダイオード点滅回路２６に供給され、発光ダイオード点滅回路２６が動作する。したがって、発光ダイオードＤ３は点滅状態になる。
【００４４】
上記の動作を考慮して、上り信号調整時には双極双投スイッチＳＷ１が接点ｂ１およびｂ２側を選択し、上り信号調整後の通常使用時には双極双投スイッチＳＷ１が接点ａ１およびａ２側を選択するようにする。
【００４５】
これにより、上り信号調整時には、増幅されたテスト信号の伝送がカットスイッチ部２５でカットされるので、増幅されたテスト信号が下り信号入力兼上り信号出力端子Ｔ１から出力されなくなり、下り信号入力兼上り信号出力端子Ｔ１からセンター局に流合雑音が流出しない。したがって、センター局に影響が及ばない。さらに、上り信号調整時には、発光ダイオードＤ３が点滅することで、分岐器２２（図１参照）から１０ＭＨｚＨＰＦ２３（図１参照）への信号の伝送がカットスイッチ部２５でカットされていることをユーザーに報知するので、上り信号調整から通常使用に切り換える際に、双極双投スイッチＳＷ１の選択先の切り換え忘れを低減することができる。なお、上り信号調整用のテスト信号は、従来と同様に、下り信号出力モニター兼上り信号調整用入力端子Ｔ３に入力され、チルト回路１８、ゲインコントロール回路１９、及びアッテネータ２１によって調整され、分岐器２２によって分岐されて上り信号出力モニター端子Ｔ４から出力される。そして、上り信号が適正レベルになるように、上り信号出力モニター端子Ｔ４から出力される信号（上り信号出力モニター信号）の計測結果に基づいて、チルト回路１８、ゲインコントロール回路１９、及びアッテネータ２１の各設定が決定される。
【００４６】
また、これにより、上り信号調整時後の通常使用時には、分岐器２２（図１参照）から伝送されてくる高周波信号が、カットスイッチ部２５を経由して、１０ＭＨｚＨＰＦ２３（図１参照）に伝送されるので、図１に示す本発明の一実施形態に係る双方向ブースターは図４に示す従来の双方向ブースターと等価になる。
【００４７】
以上、本発明に係る実施形態について説明したが、本発明の範囲はこれに限定されるものではなく、発明の主旨を逸脱しない範囲で種々の変更を加えて実行することができる。
【００４８】
例えば、上述した実施形態では、分岐器２２（図１参照）から１０ＭＨｚＨＰＦ２３（図１参照）への信号の伝送がカットスイッチ部２５でカットされていることを、発光ダイオードＤ３の点滅によってユーザーに報知しているが、発光ダイオードの点灯、特定音の出力その他の報知手法を採用しても良い。ただし、発光ダイオードの点灯はパイロット表示として用いられることが多いため、発光ダイオードを利用した報知を採用する場合には本実施形態のように発光ダイオードの点滅での報知にして、パイロット表示と容易に区別ができるようにしておくことが好ましい。
【００４９】
また、例えば、図３に示すように下り信号を取り扱わないブースターであってもよい。なお、図３において図１と同一の部分には同一の符号を付し詳細な説明を省略する。図３に示す本発明の他の実施形態に係るブースターは、図１に示す本発明の一実施形態に係る双方向ブースターから７７０ＭＨｚＬＰＦ１と、７０ＭＨｚＨＰＦ２と、分岐器３と、アッテネータ・イコライザー部４と、分岐器５と、下り信号アンプ６と、ゲインコントロール回路７と、下り信号アンプ８と、チルト回路９と、下り信号アンプ１０と、７０ＭＨｚＨＰＦ１１と、７７０ＭＨｚＬＰＦ１２とを除いた構成である。また、図３に示す本発明の他の実施形態に係るブースターは下り信号を取り扱わないため、端子Ｔ１は下り信号入力兼上り信号出力端子ではなく上り信号出力端子となり、端子Ｔ２は下り信号出力兼上り信号入力端子ではなく上り信号入力端子となり、端子Ｔ３は下り信号出力モニター兼上り信号調整用入力端子ではなく上り信号調整用入力端子となる。
【００５０】
また、上述した実施形態では、上り信号を通過させるフィルタとして、１０ＭＨｚＨＰＦおよび６０ＭＨｚＬＰＦを用いたが、それらの代わりに１０〜６０ＭＨｚＢＰＦ（Band Pass Filter）を用いてもよい。
【００５１】
また、上述した実施形態では、下り信号を７０〜７７０ＭＨｚの周波数帯域の信号（ＣＡＴＶ信号）としたが、４７０〜７７０ＭＨｚの周波数帯域の信号（ＵＨＦ）帯の地上デジタル放送信号）や９５０〜２６１０ＭＨｚの周波数帯域の信号（ＢＳ／ＣＳ−ＩＦ帯の衛星放送信号）を下り信号とする双方向ブースターであってもよい。
【符号の説明】
【００５２】
１、１２  ７７０ＭＨｚＬＰＦ
２、１１  ７０ＭＨｚＨＰＦ
３、５、１３、１６、２２  分岐器
４  アッテネータ・イコライザー部
６、８、１０  下り信号アンプ
７、１９  ゲインコントロール回路
９、１８  チルト回路
１４、２４  ６０ＭＨｚＬＰＦ
１５、２３  １０ＭＨｚＨＰＦ
１７、２０  上り信号アンプ
２１  アッテネータ
２５  カットスイッチ部
２６  発光ダイオード点滅回路
Ｃ１〜Ｃ７  コンデンサ
Ｄ１、Ｄ２  ダイオード
Ｄ３  発光ダイオード
Ｍ１〜Ｍ３  コイル
Ｑ１〜Ｑ３  ＮＰＮトランジスタ
Ｒ１〜Ｒ１４  抵抗
ＳＷ１  双極双投スイッチ
Ｔ１  下り信号入力兼上り信号出力端子
Ｔ２  下り信号出力兼上り信号入力端子
Ｔ３  下り信号出力モニター兼上り信号調整用入力端子
Ｔ４  上り信号出力モニター端子
Ｔ５  下り信号入力モニター端子
Ｔ６  内部モニター端子
Ｔ７  上り信号入力モニター端子
【図１】
0005617106.tif 000002
【図２】
0005617106.tif 000003
【図３】
0005617106.tif 000004
【図４】
0005617106.tif 000005